(57)【要約】【課題】  大がかりな設備工事を要することなく極めて簡単な工事で既存のシャッターに対して表示性に優れた各種宣伝広告や装飾効果を付加することができ、さらにシャッター面への汚損にも対処することができるシャッター用ディスプレイ装置を提供する。【解決手段】  巻取ロール４を設けて上下動自在な巻き上げ式シャッター６を下げた状態でその表面を覆うべく、シャッター上部に上端を固定しかつシャッターを上げた状態でシャッターとともに前記巻取ロールに巻き取られる可撓性を有するディスプレイシート２と、ディスプレイシートの下部を下方に牽引付勢してディスプレイシートをシャッター表面に密接させるべくシャッター下部に配設される牽引部材７とからシャッター用ディスプレイ装置１を構成する。【選択図】図１
2004339918.tif 000002
【特許請求の範囲】
【請求項１】
巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなることを特徴とするシャッター用ディスプレイ装置。
【請求項２】
シート体をシャッター表面に密接させるための牽引部材は、一方部分をシャッターに取り付け他方部分にてシート体下方部を接続しシート体を常時下方向に牽引付勢することを特徴とする請求項１記載のシャッター用ディスプレイ装置。
【請求項３】
シート体をシャッター表面に密接させるための牽引部材は、シャッターに取り付けられてなり、この牽引部材にはシート体下方部を接続しシート体を常時下方に向かって牽引付勢するためシート体下方部を巻取自在の回転体を備えたことを特徴とする請求項１記載のシャッター用ディスプレイ装置。
【請求項４】
シート体をシャッター表面に密接させるための牽引部材は、シート体下方部に取り付けられてなる錘体としたことを特徴とする請求項１記載のシャッター用ディスプレイ装置。
【請求項５】
シート体は宣伝広告用や装飾用の表示体を形成したことを特徴とする請求項１記載のシャッター用ディスプレイ装置。
【請求項６】
シート体はその表面に落書き等を消去することのできるフィルム貼着やコーティング等の防汚加工を施してなることを特徴とする請求項１記載のシャッター用ディスプレイ装置。
【請求項７】
シート体は可撓性を有する磁石シートを備えるとともに、該磁石シートはシャッターに磁着しつつ滑ることを可能とすべくその表面にフッ素樹脂シート等を貼着したりフッ素樹脂コーティング等を施したりする低摩擦手段を備えてなることを特徴とする請求項１記載のシャッター用ディスプレイ装置。
【請求項８】
シート体の両側部は、シャッターの両側部をガイドするシャッターガイド内に配置されることを特徴とする請求項１記載のシャッター用ディスプレイ装置。
【請求項９】
牽引部材は、シャッターに着脱自在に取り付け可能とするための磁石体を備えたことを特徴とする請求項１記載のシャッター用ディスプレイ装置。
【請求項１０】
シート体には可撓性を有するシート状の補強部材を貼設してなることを特徴とする請求項１記載のシャッター用ディスプレイ装置。
【請求項１１】
シート体の上下方向に貼設する補強部材には、切欠部を設けてシャッターを上下動する際にシート体に加わる上下方向の衝撃を緩衝させることを特徴とする請求項１０記載のシャッター用ディスプレイ装置。
【請求項１２】
シート体の下端に補強部材を貼設するとともに、該補強部材両端はシャッターの両側部をガイドするシャッターガイド内に配置されることを特徴とする請求項１記載のシャッター用ディスプレイ装置。
【請求項１３】
シート体の下端に貼設された補強部材をシャッターに密着するための磁石体を補強部材の位置するところのシート体に配設することを特徴とする請求項１２記載のシャッター用ディスプレイ装置。
【請求項１４】
シート体下方部を接続し常時下方向に向かって牽引付勢するためシート体下方部を巻取自在の回転体はシート体接続部分とともにシャッターに取り付けられたボックス体内に収納されるとともに、ボックス体におけるシート体挿通個所となるボックス体開口部に雨水が浸入することを防止するため、ボックス体には先端部がシート体上面に常時接触してなる雨水浸入防止部材を突設したことを特徴とする請求項３記載のシャッター用ディスプレイ装置。
【請求項１５】
シャッター両側部を収納するシャッターガイドはシャッター両側部収納用開口両端部に収納するシャッター方向に向って突出する係止部を連接するとともに、シャッター表面上に位置するシート体両側上面にはシャッターガイド内において反シート体方向に向って突出する突出部を有するストッパー部材を取り付けてなり、風等によりシート体が揺動あるいは移動しシート体がシャッターガイドの開口部より抜け出さんとしても前記シート体のストッパー部材が前記シャッターガイドの係止部に当接係止されシート体がシャッターガイドより離脱することを防止することを特徴とする請求項８記載のシャッター用ディスプレイ装置。
【請求項１６】
ストッパー部材は平板部材と該平板部材の一方端を曲折しシャッターガイドの係止部と当接自在な突出部とからなり、前記平板部材は両面テープ等の接着剤によりシート体の両側部上面に取付けられてなることを特徴とする請求項１５記載のシャッター用ディスプレイ装置。
【請求項１７】
ストッパー部材における突出部の外縁部はテーパー状に形成されてなり、シャッターガイド内に突起等の障害物が存在してもこれを容易に乗り越えスムースに移動することができることを特徴とする請求項１５記載のシャッター用ディスプレイ装置。
【請求項１８】
ストッパー部材における曲折部外周にアール部分を形成したことを特徴とする請求項１５記載のシャッター用ディスプレイ装置。
【請求項１９】
ストッパー部材はシート体両側部に間隔をおいて複数個所取り付けてなることを特徴とする請求項１５記載のシャッター用ディスプレイ装置。
【請求項２０】
シャッターガイドの係止部はシャッター方向に向って突出する突出部と、この突出部に連接されシャッターと平行方向に曲折しシャッターガイドのストッパー部材と当接する当接部からなることを特徴とする請求項１５記載のシャッター用ディスプレイ装置。
【請求項２１】
巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなるシャッター用ディスプレイ装置において、前記シャッターガイドの延長線上の前記巻取ロールの手前に該巻取ロールとシャッターガイドとの間を移動するシャッターを案内するガイド板を配設するとともに、前記シート体が繰り出される際にシート体の下端がガイド板を乗り越えて離脱することを防ぐべく、前記シャッター両縁部のシート体側の下部にシート体表面下部とシャッターガイドとの間に介在してシャッターガイド内を上下動するガイド部材を備えることを特徴とするシャッター用ディスプレイ装置。
【発明の詳細な説明】
【技術分野】
【０００１】
本発明は、店舗等における建物に開閉自在に設置され、シャッター下降時にあっても往来する人の目にとまりやすいシャッター前面部分に着目して案出されたものであり、シャッター本来の機能の他に各種広告宣伝や装飾に供することを可能とする取り付け容易なシャッター用ディスプレイ装置に関する。
【背景技術】
【０００２】
従来、建物のシャッターに装飾を施すためには、シャッター表面にペンキ等で装飾の表示体を描くことが行われていたが、複数枚の細長いスラットを組み合わせて構成されるシャッターにペンキで表示体を描いても、スラット相互間の接合部分で表示体が分断されてしまい、装飾としての美観は損なわれていた。そこで、従来のシャッター表面にシート体を位置させ、このシート体に装飾を施すシャッター用ディスプレイ装置が案出された。このシャッター用ディスプレイ装置としては、シャッターの巻取装置の前面上部にディスプレイシートの巻取装置を配設するとともに、シャッターの下端に、表示体を形成してなる磁石シートからなるディスプレイシートの下端を固定し、シャッターの下降に対応させてディスプレイシートをシャッターに磁着させつつ繰り出す構造のものが存在する。この従来のシャッター用ディスプレイ装置は、既存のシャッターに設置することができ、シャッター表面に各種広告宣伝や装飾を施すことができるものである（例えば、特許文献１参照。）。
【特許文献１】特開平１−１７８６９４号公報
【発明の開示】
【発明が解決しようとする課題】
【０００３】
しかしながら、前述した従来のシャッター用ディスプレイ装置にあっては、シャッターの巻取装置の近傍にディスプレイシート専用の巻取装置を設置する必要がある等大がかりな装置となることから、これを設置するためには多大の労苦と複雑な設置工事と多額の工事費用を余儀なくされていた。また、ディスプレイシートの交換も同様に容易ではなく、作業には手間と時間を要するものであった。さらに近年、シャッターに対してカラースプレイなどによる落書き等による汚損被害が多発しており、このシャッターの汚損は除去しづらいことからその解決策が求められていた。
【０００４】
そこで本発明は、大がかりな設備工事を要することなく極めて簡単な工事で既存のシャッターに対して表示性に優れた各種宣伝広告や装飾効果を付加することができ、さらにシャッター面への汚損にも対処することが可能なシャッター用ディスプレイ装置を提供することを目的とする。
【課題を解決するための手段】
【０００５】
前述の目的を達成するため、本発明のシャッター用ディスプレイ装置は、巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなることを特徴とするものである。
【０００６】
また、シート体をシャッター表面に密接させるための牽引部材は、一方部分をシャッターに取り付け他方部分にてシート体下方部を接続しシート体を常時下方向に牽引付勢することを特徴とするものである。
【０００７】
また、シート体をシャッター表面に密接させるための牽引部材は、シャッターに取り付けられてなり、この牽引部材にはシート体下方部を接続しシート体を常時下方に向かって牽引付勢するためシート体下方部を巻取自在の回転体を備えたことを特徴とするものである。
【０００８】
また、シート体をシャッター表面に密接させるための牽引部材は、シート体下方部に取り付けられてなる錘体としたことを特徴とするものである。
【０００９】
また、シート体は宣伝広告用や装飾用の表示体を形成したことを特徴とするものである。
【００１０】
また、シート体はその表面に落書き等を消去することのできるフィルム貼着やコーティング等の防汚加工を施してなることを特徴とするものである。
【００１１】
また、シート体は可撓性を有する磁石シートを備えるとともに、該磁石シートはシャッターに磁着しつつ滑ることを可能とすべくその表面にフッ素樹脂シート等を貼着したりフッ素樹脂コーティング等を施したりする低摩擦手段を備えてなることを特徴とするものである。
【００１２】
また、シート体の両側部は、シャッターの両側部をガイドするシャッターガイド内に配置されることを特徴とするものである。
【００１３】
また、牽引部材は、シャッターに着脱自在に取り付け可能とするための磁石体を備えたことを特徴とするものである。
【００１４】
また、シート体には可撓性を有するシート状の補強部材を貼設してなることを特徴とするものである。
【００１５】
また、シート体の上下方向に貼設する補強部材には、切欠部を設けてシャッターを上下動する際にシート体に加わる上下方向の衝撃を緩衝させることを特徴とするものである。
【００１６】
また、シート体の下端に補強部材を貼設するとともに、該補強部材両端はシャッターの両側部をガイドするシャッターガイド内に配置されることを特徴とするものである。
【００１７】
また、シート体の下端に貼設された補強部材をシャッターに密着するための磁石体を補強部材の位置するところのシート体に配設することを特徴とするものである。
【００１８】
また、シート体下方部を接続し常時下方向に向かって牽引付勢するためシート体下方部を巻取自在の回転体はシート体接続部分とともにシャッターに取り付けられたボックス体内に収納されるとともに、ボックス体におけるシート体挿通個所となるボックス体開口部に雨水が浸入することを防止するため、ボックス体には先端部がシート体上面に常時接触してなる雨水浸入防止部材を突設したことを特徴とするものである。
【００１９】
また、シャッター両側部を収納するシャッターガイドはシャッター両側部収納用開口両端部に収納するシャッター方向に向って突出する係止部を連接するとともに、シャッター表面上に位置するシート体両側上面にはシャッターガイド内において反シート体方向に向って突出する突出部を有するストッパー部材を取り付けてなり、風等によりシート体が揺動あるいは移動しシート体がシャッターガイドの開口部より抜け出さんとしても前記シート体のストッパー部材が前記シャッターガイドの係止部に当接係止されシート体がシャッターガイドより離脱することを防止することを特徴とするものである。
【００２０】
また、ストッパー部材は平板部材と該平板部材の一方端を曲折しシャッターガイドの係止部と当接自在な突出部とからなり、前記平板部材は両面テープ等の接着剤によりシート体の両側部上面に取付けられてなることを特徴とするものである。
【００２１】
また、ストッパー部材における突出部の外縁部はテーパー状に形成されてなり、シャッターガイド内に突起等の障害物が存在してもこれを容易に乗り越えスムースに移動することができることを特徴とするものである。
【００２２】
また、ストッパー部材における曲折部外周にアール部分を形成したことを特徴とするものである。
【００２３】
また、ストッパー部材はシート体両側部に間隔をおいて複数個所取り付けてなることを特徴とするものである。
【００２４】
また、シャッターガイドの係止部はシャッター方向に向って突出する突出部と、この突出部に連接されシャッターと平行方向に曲折しシャッターガイドのストッパー部材と当接する当接部からなることを特徴とするものである。
【００２５】
また、巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなるシャッター用ディスプレイ装置において、前記シャッターガイドの延長線上の前記巻取ロールの手前に該巻取ロールとシャッターガイドとの間を移動するシャッターを案内するガイド板を配設するとともに、前記シート体が繰り出される際にシート体の下端がガイド板を乗り越えて離脱することを防ぐべく、前記シャッター両縁部のシート体側の下部にシート体表面下部とシャッターガイドとの間に介在してシャッターガイド内を上下動するガイド部材を備えることを特徴とするものである。
【発明の効果】
【００２６】
以上詳述の如く、本発明のシャッター用ディスプレイ装置によれば、巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とから構成することで、従来のごとく大がかりな設備工事を要することなく極めて簡単な工事で既存のシャッターに対して表示性に優れた各種宣伝広告や装飾効果を付加することができるものである。
【００２７】
また、シート体をシャッター表面に密接させるための牽引部材は、一方部分をシャッターに取り付け他方部分にてシート体下方部を接続しシート体を常時下方向に牽引付勢すること、またシート体をシャッター表面に密接させるための牽引部材は、シャッターに取り付けられてなり、この牽引部材にはシート体下方部を接続しシート体を常時下方に向かって牽引付勢するためシート体下方部を巻取自在の回転体を備えること、またシート体をシャッター表面に密接させるための牽引部材は、シート体下方部に取り付けられてなる錘体とすることで、シート体はシャッターを上げ下げしても歪んだり傾いたりすることなく常に整然とした状態で張設され、シャッター表面に好適に密接する。
【００２８】
また、シート体は宣伝広告用や装飾用の表示体を形成することで、下降時のシャッターを往来する人の目にとまりやすい好適な広告宣伝や装飾に供することができる。
【００２９】
また、シート体はその表面に落書き等を消去することのできるフィルム貼着やコーティング等の防汚加工を施すことで、シャッターに対して落書き等の汚損被害があっても、溶剤で容易に消去して対処することができるので、好適な美観を維持することができる。
【００３０】
また、シート体は可撓性を有する磁石シートを備えるとともに、該磁石シートはシャッターに磁着しつつ滑ることを可能とすべくその表面にフッ素樹脂シート等を貼着したりフッ素樹脂コーティング等を施したりする低摩擦手段を備えてなることで、シート体に皺が生じたり端から捲り上がる等の事態を防いでシート体をシャッターとともに整然と巻き取ることができる。
【００３１】
また、シート体の両側部は、シャッターの両側部をガイドするシャッターガイド内に配置されることで、シート体が風に煽られてたなびくことを防ぎ整然とシャッター上に位置させることができる。
【００３２】
また、牽引部材は、シャッターに着脱自在に取り付け可能とするための磁石体を備えたことで、シャッター用ディスプレイ装置を取り付けるに際して既存のシャッターに孔を開ける等の傷をつけることがなく、またディスプレイシートの位置調整をするべく着脱自在とすることができることから便宜である。
【００３３】
また、シート体には可撓性を有するシート状の補強部材を貼設することで、薄くてコシのないシート体にコシを持たせて皺や捻れがない状態で張設、巻き取りが可能となる。
【００３４】
また、シート体の上下方向に貼設する補強部材には、切欠部を設けてシャッターを上下動する際にシート体に加わる上下方向の衝撃を緩衝させることで、シャッターを上げ下げする際に上下方向の補強部材に加わる伸縮の力をこの欠落部分で吸収させて、補強部材の変形を防ぐものである。
【００３５】
また、シート体の下端に補強部材を貼設するとともに、該補強部材両端はシャッターの両側部をガイドするシャッターガイド内に配置されることで、シート体の下端は常にシャッターガイドに案内されてシャッターの上げ下げを支障なく行うことができる。
【００３６】
また、シート体の下端に貼設された補強部材をシャッターに密着するための磁石体を補強部材の位置するところのシート体に配設することで、補強部材の下端がシャッター面から離間してシャッターガイド内に案内されないトラブルを防ぐことができる。
【００３７】
また、シート体下方部を接続し常時下方向に向かって牽引付勢するためシート体下方部を巻取自在の回転体はシート体接続部分とともにシャッターに取り付けられたボックス体内に収納されるとともに、ボックス体におけるシート体挿通個所となるボックス体開口部に雨水が浸入することを防止するため、ボックス体には先端部がシート体上面に常時接触してなる雨水浸入防止部材を突設することで、回転体や牽引シートを収納するボックス体内に雨水等が浸入することを防ぎ、汚損や損傷なく美観を保持することができる。
【００３８】
また、シャッター両側部を収納するシャッターガイドはシャッター両側部収納用開口両端部に収納するシャッター方向に向って突出する係止部を連接するとともに、シャッター表面上に位置するシート体両側上面にはシャッターガイド内において反シート体方向に向って突出する突出部を有するストッパー部材を取り付けることで、風等によりシート体が揺動あるいは移動してシート体がシャッターガイドの開口部より抜け出さんとしても、シート体のストッパー部材がシャッターガイドの係止部に当接係止されてシート体がシャッターガイドより離脱することを防止することができる。
【００３９】
また、巻取ロールにより上下動自在な巻き上げ式シャッターと、該シャッターを下げた状態においてはシャッター表面上に位置し、シャッターを上げた際にはシャッターとともに前記巻取ロールに巻き取られるシャッター上部に上方部分を固定してなるシート体と、該シート体がシャッターを下げた状態においてはシャッター表面上に撓むことなく張設されシャッターを上げる際にはシャッター表面に位置しながらシャッターとともに整然と巻き取られるべくシート体の下方部を常時下方向に牽引付勢してシート体をシャッター表面に密接させる牽引部材とからなるシャッター用ディスプレイ装置において、前記シャッターガイドの延長線上の前記巻取ロールの手前に該巻取ロールとシャッターガイドとの間を移動するシャッターを案内するガイド板を配設するとともに、前記シート体が繰り出される際にシート体の下端がガイド板を乗り越えて離脱することを防ぐべく、前記シャッター両縁部のシート体側の下部にシート体表面下部とシャッターガイドとの間に介在してシャッターガイド内を上下動するガイド部材を備えることで、シート体は、上下動するシャッターを案内する既存のガイド板を乗り越えて離脱することなく確実に案内され、スムースに繰り出し・収納することができる。
【発明を実施するための最良の形態】
【００４０】
図１〜図１０は、本発明のシャッター用ディスプレイ装置１の第１の実施例を示し、シャッター用ディスプレイ装置１を構成するディスプレイシート２は、ターポリンシートやＰＶＣ（ポリ塩化ビニル）シート等の可撓性を有する合成樹脂シートの表面に文字・絵柄等の宣伝広告用若しくは装飾用の表示体２ａを形成し、さらにその表面に対する落書き等の汚損対策として、カラースプレイ等で落書きされた場合でもシンナー、アルコール等の溶剤や洗剤で容易に拭き取ることができるように、図７に示すごとく、その表面に透明なポリエステルフィルムやＰＶＣフィルムをラミネートしたりフッ素樹脂等のコーティングをしたりする防汚加工３が施されている。そしてこのディスプレイシート２は、上下動自在で上部に設置されている巻取ロール４に巻き取られて上面部に形成されたシャッターボックス５（図２及び図３に示す）に収納することができるスチール製の巻取式のシャッター６の上部（シャッターを下げた状態での）に、その上端を両面粘着剤や接着テープで固定され、シャッター６を下げた状態においてはシャッター６の表面全面に止着される。そして、シャッター６を巻取ロール４に巻き上げる際には、ディスプレイシート２はシャッター６とともに巻取ロール４に巻き取られてゆく。そしてシャッター６を下げた状態においてはディスプレイシート２はシャッター６表面上に撓むことなく張設され、シャッター６を上げる際にもシャッター表面に位置しながらシャッター６とともに整然と巻き取られるべく、ディスプレイシート２の下端をシャッター６下端に固定されている牽引部材７により下方に牽引付勢している。この牽引部材７には、ディスプレイシート２の下端に連設する牽引シート８を常時牽引シート巻き取り方向に付勢するスプリングを備えた回転体９を備えている。尚、ディスプレイシート２を常時下方に牽引付勢する手段としては、この牽引部材７に限らず、伸縮性機能を有するスプリング、ゴム等を用いることとしてもよいものである。
【００４１】
尚、本発明のシャッター用ディスプレイ装置をこのような構成としたのは、巻き上げ式シャッターの構造を考慮したものである。すなわち、巻き上げ式シャッターは複数枚の細長いスラットを上下方向に連設して構成してなり、そのスラット相互の連結部分には「遊び」や「ガタ」と称するすきまを設けることで、シャッターを上下方向にある程度伸縮可能とし、これにより巻き取る際にスラット相互を連結する部分のすきまの外周部分は伸長し内周部分は縮小することで丸く巻回することを可能としている。このような構造のシャッターに対し、その表面にディスプレイシートを全面的に接着したり、ディスプレイシートの上端と下端を固定することでディスプレイシートとシャッターとを一体化させた場合には、スラット相互のすきまは固定されてしまって伸縮することができず、その結果シャッターを巻き取ることができなくなる。また、そのような事態とならないように、ディスプレイシートの上端だけをシャッターに固定して下端を固定しない場合には、シャッター表面上にディスプレイシートが張設されないことから、シャッターの上げ下げによりディスプレイシートが傾いたり、ねじれたり、しわが生じたりしてしまい、整然とした表示を行うことは不可能となる。
【００４２】
ディスプレイシート２は、図５にその裏面を示すごとく、横長の３枚のシートを縦方向に接合することで１枚のシャッターサイズに形成している。この３枚のシートを接合する場合には、３枚の横長のシートを、接合の境界が下方向を向くように、下段シート、中段シート、上段シートの順に（表面から見て）手前に来るように接合することとする。このように接合することで、接合の境界が目立たなくなり、また境界部分に雨水が侵入せずまた汚れも溜まらなくなるものである。
【００４３】
このディスプレイシート２は、薄くてコシがなく（すなわち、剛性がなく）皺が寄ったり、シャッター面の凸凹が現れたり、端からめくり上がったりすることから、図５に示すごとく、その周囲四辺と３枚のシートの接合部分に、補強用として厚さ約０．１ミリメートル程度で帯状の軟磁性のステンレスや硬質プラスチックからなる補強部材１０を接着することで、コシを持たせて全面をピンと張った状態としている。そして、図６に示すごとく、補強部材１０も含むディスプレイシート２の裏面には、シャッター６と一緒に巻取ロール４に対し巻き取り・繰り出しする際にシャッター６上を滑りやすくするために、ＰＴＦＥ（ポリテトラフルオロエチレン）等のフッ素樹脂シートを貼着したり、フッ素樹脂コーティング等を施したりする低摩擦手段１１を備えている。
【００４４】
また、大型の電動式シャッターに本発明のシャッター用ディスプレイ装置１を設置する場合には、電動式シャッターのスラットの多くが幅広で平面部分が少ないことから、その表面に位置するディスプレイシート２の中間部分がシャッター６面から浮き上がりやすくなる。これを防ぐために、図７に示すごとく、ディスプレイシート２の中間部分に縦方向に例えば２本の前記補強部材１０を配設し、さらにこの補強部材１０のシャッター６面側に、図８に示すごとく、シャッター６に磁着するための帯状の磁石シート１２を貼合する。そして、この磁石シート１２がシャッター６に磁着しつつ滑りやすくするために、補強部材１０や磁石シート１２のシャッター６面側に前記低摩擦手段１１を設ける（勿論、磁石シート１２が貼合されていないディスプレイシート２裏面にも低摩擦手段１１を設けてもよいものである）。尚、前記磁石シート１２は、補強部材１０部分にだけ貼合するだけでなく、ディスプレイシート２裏面全面に貼合してもよく、ディスプレイシート２とシャッター６の形態に応じて適宜設定するものである。この磁石シート１２としては、磁性粉を混入した合成樹脂材をシート状に０．１〜０．５ｍｍ程度の薄さに成形し、シャッター面側にＮ極とＳ極を数ｍｍピッチで交互に多極着磁したものを使用することができる。
【００４５】
ディスプレイシート２の下端には、図１〜図５及び図９に示すごとく、前述の牽引部材７が配設されている。この牽引部材７は、ターポリンシートやＰＶＣシート等からなる可撓性を有する牽引シート８を回転体９により巻き取り方向（図９の時計回転方向）に付勢するとともに、この牽引シート８の上端をディスプレイシート２の下端に連設することで、ディスプレイシート２をほぼ全幅に亘って常時下方に張設して弛まないようにしている。牽引部材７の構造は、ロールカーテンやロールスクリーン等に用いられる巻き取り機構と同様であり、回転体９を常に一方向に回転付勢させるスプリングを内蔵しつつ両方向に回転自在である。図１１は、牽引部材７の構造の詳細であり、牽引シート８を巻回する回転体９の全体を、牽引シート８が挿通する部分を除いてボックス体１３が被覆するとともに、ボックス体１３の下部に希土類磁石等の強力な磁着力を有する磁石体１４を固定して、シャッター６に磁着自在としている。このように磁石を用いることで、既存のシャッター６に孔を開ける等の傷をつけることなく牽引部材７を設置することができ、またディスプレイシート２の位置調整をするために容易に着脱することができるので便宜である。また、牽引シート８が挿通するボックス体１３の開口部分には、ゴムなどの可撓性を有する雨水浸入防止部材１５を設け、雨水浸入防止部材１５の先端が常にディスプレイシート２面に当接する構造とすることで、ボックス体１３内への雨水等の浸入を防ぐものである。
【００４６】
本発明のシャッター用ディスプレイ装置１を既存のシャッター６に取り付ける方法について説明する。まず、図１及び図２に示すごとく、設置対象となるシャッター６を下げて、露出する表面の上端ぎりぎりにディスプレイシート２の上端を両面粘着剤や粘着シート等を併用して確実に固定する。つぎに、シャッター６の下端に牽引部材７の磁石体１４を磁着して固定する。そして、ディスプレイシート２の両側部を多少撓ませて、図２及び図４に示すごとく、シャッター６の両側部をガイドするシャッターガイド１６内に配置し、これによりシートが風に煽られてたなびくことを防ぐ。設置工事としては、これで完了である。
【００４７】
このような構成からなる本発明のシャッター用ディスプレイ装置１の動作について、以下に説明する。図１及び図２に示すシャッター６が下がっている状態から、シャッター６を上げるべく、電動式の場合は巻取ロール４を巻き取り方向に回転させると、または手動式の場合はシャッター６を上げることで巻取ロール４が巻き取り方向に回転すると、巻取ロール４にはシャッター６とともにディスプレイシート２が徐々に巻き取られていく。すると、本実施例の内巻式シャッターの場合には、ディスプレイシート２はシャッター６の外周に巻き付くことからして、シャッター６よりもディスプレイシート２の厚さ分だけ巻き取り径が大きくなることから、シャッター６の巻き取り速度と比較してディスプレイシート２の巻き取り速度の方が速くなる。これにより、シャッター６が巻き上げられると、図７に示すごとく、ディスプレイシート２がシャッター６に対してずり上がり、牽引シート８が牽引部材７から徐々に繰り出されていく。そして、シャッター６が上がりきった状態では、本実施例のごとく薄いディスプレイシートを用いた場合であっても、ディスプレイシート２のずり上がる寸法は約１５ｃｍ程度となる。ただし、ディスプレイシート２がずり上がって約１５ｃｍ繰り出された牽引シート８は、最終的にはシャッターボックス５内に収納されるので外部からは視認されなくなる。
【００４８】
図１２は、本発明のシャッター用ディスプレイ装置１の第２の実施例を示し、本実施例におけるシート体をシャッター表面に密接させるためにディスプレイシート２を下方に牽引する牽引部材は、ディスプレイシート２の下方部に配設した厚さ数ｍｍ、幅数ｃｍの程度の金属板体からなる錘体１７であり、この錘体１７はシャッター６に固定されることなく、取り付けられたディスプレイシート２をその自重で常に下方に引っ張ることで、シャッター６を上げ下げしてもシャッター６表面にディスプレイシート２を整然と密接させることができるものである。図１２では、錘体１７を分かりやすくするためにディスプレイシート２の表面に配設したが、美観を考慮して裏面に配設してもよい。また、この錘体１７の両端をシャッターガイド１６内に位置させることで、錘体１７とともにディスプレイシート２をシャッター表面に密接させるものである。
【００４９】
図１３〜図１５は、本発明のシャッター用ディスプレイ装置１の第３の実施例を示し、本実施例のシャッター１８は前述の第１の実施例とは逆方向に巻回する巻取ロール１９を備える外巻タイプと称されるものであり、シャッター用ディスプレイ装置１としては設置方法が若干異なるだけで構成は前述した第１の実施例と同一である。シャッター１８は、その上面部に形成されたシャッターボックス２０に収納される。この外巻タイプのシャッター１８では、ディスプレイシート２はシャッター１８の内周に位置して巻き付いていき、シャッター１８よりもディスプレイシート２の厚さ分だけ巻き取り径が小さくなることから、シャッター１８の巻き取り速度と比較してディスプレイシート２の巻き取り速度の方が遅くなる。これにより、シャッター１８が巻取ロール１９に巻き上げられると、図１５に示すごとく、ディスプレイシート２がシャッター１８に対してずり下がり、牽引シート８が牽引部材７に徐々に巻き込まれていく。そして、シャッター１８が上がりきった状態で、牽引シート８が牽引部材７にほぼ全部巻き込まれるように設定すると、シャッター１８が下がりきった状態では、図１３に示すごとく、ディスプレイシート２の下端は牽引部材７から約１５ｃｍ程度ずり上がった位置となる。このように、上述した第１の実施例と第２の実施例では、牽引シート８の繰り出し位置が異なるが、この位置調整は設置現場での容易に設定することができるものである。
【００５０】
さらに、図５にあっては、上下方向に配設された補強部材１０に切欠部２１を設けて断続させているが、この切欠部２１を設けることで、シャッターを上げ下げする際に補強部材１０に加わる上下方向の伸縮の力を切欠部２１で吸収させて、補強部材１０が変形することを防ぐものである。
【００５１】
また、ディスプレイシート２にコシを持たせるために補強部材１０が貼設されているが、この補強部材１０の剛性により、シャッター６を下げる際に上下方向の補強部材１０の下端がシャッター６から離間してシャッターガイド１６上端に案内されないトラブルが発生する虞がある。この対策としては、ディスプレイシート２の下端にまで配設されている上下方向の補強部材１０を多少取り除くことも一策であるが、確実な対策としてはディスプレイシート２の下縁に沿って、例えばディスプレイシート２の表面に前述した帯状の磁石シートを配設して、非磁性体である補強部材１０をシャッターに密着させることが好ましい。また、この補強部材１０がシャッター６面を滑りやすくするためには、前記低摩擦手段が有効に作用するものである。
【００５２】
次に本発明の第４の実施例について図１６〜図１９に基づいて説明する。
図中３０はシャッター６の両側部６ａを収納しこれをガイドするシャッターガイドである。
３１はシャッターガイド３０に形成された係止部であり、シャッター両側部６ａ収納用開口両端部には収納するシャッター方向に向って突出する突出部３１ａとこの突出部３１ａに連接されシャッター６と平行方向に曲折する当接部３１ｂとから成る。３２はシャッター２１表面上に位置し、ディスプレイ部材となるシート体３３に両面粘着テープ３４等の接着材にて接着されてなるストッパー部材である。このストッパー部材３２は、図１６に示すように平板部材３２ａとこの平板部材３２ａの一方端を曲折して形成してなる突出部３２ｂとからなる。
【００５３】
そしてこのストッパー部材３２の平板部分３２ａ裏面は接着剤等によりシート体３３上面に接着され、突出部３２ｂはシャッターガイド３０内にて反シート体方向に向って突出しており、その長さはシート体３３が反シャッターガイド方向に移動してもその突出先端部がシャッターガイド３０の係止部３１における当接部３１ｂに当接係止される長さに設定されている。
またストッパー部材３２の突出部３２ｂ外縁部３２ｃはテーパー状、略円弧状に形成されており、シート体３３の上下動に際しシャッターガイド３０内に突起等の障害があっても、ストッパー部材３２がこれを容易に乗り越えスムースに移動することができる。
【００５４】
このストッパー部材３２は、シート体３３両側部に間隔をおいて複数個所取付け形成される。そして、ストッパー部材３２をシート体３３に取り付けるに際しては、まずシャッター６にシート体３３を配設し、その後でストッパー部材３２をシート体３３に取り付けるのであるが、図１９に示すごとく、ストッパー部材３２の突出部３２ｂをシャッターガイド３０内に差し込み、つぎにストッパー部材３２を図１９の矢印方向に回転させながらシャッターガイド３０の奥に挿入して、適宜な位置でシート体３３に両面粘着テープ３４により接着固定する。この際、ストッパー部材３２の曲折部外周をアール部分３２ｄとしたことから、シート体３３とシャッターガイド３０の係止部３１との僅かな隙間でもストッパー部材３２をスムースに回転させて配置することができるものである。
この実施例によれば突風等によりシート体が揺動、あるいは移動しシャッターガイド３０の開口部より抜け出さんとしても、図１８に示すようにシート体３３両側に取付けたストッパー部材３２の突出部３２ｂがシャッターガイド３０の開口両端部に形成された係止部３１、すなわち本実施例にあっては突出部３１ａの当接部３１ｂに当接係止され、その抜け出しは完全に防止され、ディスプレイ面となるシート体３３は常時整然と効果的なディプレイ効果を発揮することができる。
【００５５】
図２０〜図２３は、本発明のシャッター用ディスプレイ装置の第５の実施例を示し、また図２４は改良すべきシャッター用ディスプレイ装置の問題点を示している。すなわち、図２４にあっては、主に手動式のシャッターに設置されているガイド板４０が、シャッターガイドの延長線上のまぐさと称されるシャッター枠上部の水平材４１に、シャッター６を挟んで両側に逆ハ字形状に設けられている。このガイド板４０は、シャッター６が巻取ロール４とシャッターガイド１６との間をスムーズに上下動すべく案内するものである。
しかしながら、本発明のシャッター用ディスプレイ装置にあって、図２４に示すごとく、巻取ロール４にシャッター６とともに巻き取られたディスプレイシート２が繰り出す際にその下端がこのガイド板４０を乗り越えて離脱する恐れがあった（牽引シート８は、ディスプレイシート２における両側を除いた中央部分に連設されているため、ガイド板４０に規制されていない）。
【００５６】
そこで、本実施例にあっては、シャッター６両側部のディスプレイシート２側の下部（水切り部）に基端部が固定され上方に延出して配設され、常時ディスプレイシート２表面下部とシャッターガイド１６との間に介在してシャッターガイド１６内を上下動する可撓性を有する帯状のガイド部材４２を設けるものである。図２０に示すシャッター６が下がっている状態では、ガイド部材４１はディスプレイシート２表面下部とシャッターガイド１６との間に位置するとともに、図２３に示すごとく、正面から見た場合にはガイド部材４２はシャッターガイド１６にほとんど隠れて目立たないものである。そして、シャッター６を上げていくと、図２１に示すごとく、ガイド部材４２上部はシャッター枠内部に入っていく。さらに、シャッター６が完全に上がりきった状態では、図２２に示すごとく、ガイド部材４２は既存のガイド板４０を覆うように位置し、かつディスプレイシート２下部表面に相対向することにより、ディスプレイシート２下部がガイド板４０を乗り越えて離脱する恐れなく確実にガイド板４０内に案内して、ディスプレイシート２をスムースに繰り出し・収納することができる。
【図面の簡単な説明】
【００５７】
【図１】本発明のシャッター用ディスプレイ装置の第１の実施例を示す斜視図である。
【図２】本発明のシャッター用ディスプレイ装置の第１の実施例を示す正面図である。
【図３】本発明のシャッター用ディスプレイ装置の第１の実施例を示す側断面図である。
【図４】本発明のシャッター用ディスプレイ装置を示す平断面図である。
【図５】本発明のシャッター用ディスプレイ装置の背面図である。
【図６】本発明のシャッター用ディスプレイ装置におけるディスプレイシートの分解部説明図である。
【図７】本発明のシャッター用ディスプレイ装置におけるディスプレイシートの他の実施例を示す背面図である。
【図８】本発明のシャッター用ディスプレイ装置におけるディスプレイシートの分解説明図である。
【図９】本発明のシャッター用ディスプレイ装置の使用状態を示す側断面図である。
【図１０】本発明のシャッター用ディスプレイ装置の第１の実施例におけるシャッターを上げた状態を示す正面図である。
【図１１】本発明のシャッター用ディスプレイ装置における牽引部材を示す説明図である。
【図１２】本発明のシャッター用ディスプレイ装置の第２の実施例を示す斜視図である。
【図１３】本発明のシャッター用ディスプレイ装置の第３の実施例を示す斜視図である。
【図１４】本発明のシャッター用ディスプレイ装置の第３の実施例を示す正面図である。
【図１５】本発明のシャッター用ディスプレイ装置の第３の実施例におけるシャッターを上げた状態を示す正面図である。
【図１６】本発明のシャッター用ディスプレイ装置の第４の実施例におけるストッパー部材を示す斜視図である。
【図１７】本発明のシャッター用ディスプレイ装置の第４の実施例を示す要部断面図である。
【図１８】図１７のシート体が移動した状態を示す要部断面図である。
【図１９】本発明のシャッター用ディスプレイ装置の第４の実施例におけるストッパー部材を取り付ける状態を示す説明図である。
【図２０】本発明のシャッター用ディスプレイ装置の第５の実施例におけるシャッターを下げた状態を示す側断面面図である。
【図２１】本発明のシャッター用ディスプレイ装置の第５の実施例におけるシャッターを上げる途中の状態を示す側断面面図である。
【図２２】本発明のシャッター用ディスプレイ装置の第５の実施例におけるシャッターを上げた状態を示す側断面面図である。
【図２３】図２０のＡ−Ａ線断面面図である。
【図２４】従来のシャッター用ディスプレイ装置におけるシャッターを上げた状態を示す側断面面図である。
【符号の説明】
【００５８】
１  シャッター用ディスプレイ装置
２  ディスプレイシート
２ａ  表示体
３  防汚加工
４  巻取ロール
５  シャッターボックス
６  シャッター
６ａ  両側部
７  牽引部材
８  牽引シート
９  回転体
１０  補強部材
１１  低摩擦手段
１２  磁石シート
１３  ボックス体
１４  磁石体
１５  雨水浸入防止部材
１６  シャッターガイド
１７  錘体
１８  シャッター
１９  巻取ロール
２０  シャッターボックス
２１  切欠部
３０  シャッターガイド
３１  係止部
３１ａ  突出部
３１ｂ  当接部
３２  ストッパー部材
３３  シート体
３４  両面粘着テープ
４０  ガイド板
４１  水平材
４２  ガイド部材
【図１】
2004339918.tif 000003
【図２】
2004339918.tif 000004
【図３】
2004339918.tif 000005
【図４】
2004339918.tif 000006
【図５】
2004339918.tif 000007
【図６】
2004339918.tif 000008
【図７】
2004339918.tif 000009
【図８】
2004339918.tif 000010
【図９】
2004339918.tif 000011
【図１０】
2004339918.tif 000012
【図１１】
2004339918.tif 000013
【図１２】
2004339918.tif 000014
【図１３】
2004339918.tif 000015
【図１４】
2004339918.tif 000016
【図１５】
2004339918.tif 000017
【図１６】
2004339918.tif 000018
【図１７】
2004339918.tif 000019
【図１８】
2004339918.tif 000020
【図１９】
2004339918.tif 000021
【図２０】
2004339918.tif 000022
【図２１】
2004339918.tif 000023
【図２２】
2004339918.tif 000024
【図２３】
2004339918.tif 000025
【図２４】
2004339918.tif 000026